(57)【要約】      （修正有）【課題】金属製料理器具に設けられる取っ手装置であって、握り部を含むハンドル全体が、金属製であって、且つ、金属製料理器具からの熱を伝えない取っ手装置を提供する。【解決手段】金属製料理器具に設けられる取っ手装置であって、金属製料理器具に設けられる金属製の設置座２と、該設置座に連結される金属製のハンドル５と、前記設置座と前記金属製のハンドルとの間に配置されて前記設置座から前記ハンドルへの熱伝導を遮断する断熱素子４とを備えている。【選択図】図１
0003158280.tif 000002
【実用新案登録請求の範囲】
【請求項１】
金属製料理器具に設けられる取っ手装置であって、
金属製料理器具に設けられる金属製の設置座と、
前記設置座に連結される金属製のハンドルと、
前記設置座と前記金属製のハンドルとの間に配置されて前記設置座から前記ハンドルへの熱伝導を遮断する断熱素子と、
を備えている料理器具用取っ手装置。
【請求項２】
取っ手装置全体が金属製料理器具に設けられると、
前記設置座と、前記断熱素子と、前記ハンドルとは、前記金属製料理器具側から順に並んで設置され、
前記ハンドルは、前記金属製料理器具に対し近端面と遠端面とを有するようになり、
前記設置座は、前記金属製料理器具から突出した突出端面を有するようになり、
前記近端面は、前記突出端面より大径であり、該近端面からネジ棒が突出する、という構成関係を有し、
また、前記突出端面には、前記突出するネジ棒を捻じ込むことができるネジ穴が形成されていることを特徴とする請求項１に記載の料理器具用取っ手装置。
【請求項３】
その中孔が前記設置座より大径であり、前記設置座を周りから遮蔽するように設けられる金属製の管状シールドを更に備えており、また、
取っ手装置全体が金属製料理器具に設けられると、
前記管状シールドは、その突出端縁が前記ハンドルの近端面周縁に対応するように臨み、
前記断熱素子は、前記管状シールドの突出端縁と前記ハンドルの近端面周縁との間に介入してその間の熱伝導を遮蔽するようになる、
という構成関係を有することを特徴とする請求項２に記載の料理器具用取っ手装置。
【請求項４】
前記ハンドルは、その前記金属製料理器具に対する近端が開口しており、遠端に通孔が形成された付き板体を有している管状中空体であり、前記近端面は前記近端開口の環状開口縁であり、前記遠端面は前記板体の外面であり、
前記断熱素子は、その一端部が前記管状シールドに内嵌することができ、他端部が前記管状ハンドルに内嵌することができ、また、前記一端部と前記他端部との間に、前記管状シールドの円周面から突出していて前記管状シールドの突出端縁と前記ハンドルの近端面周縁との間に介在することができるフランジを有する両頭プラグであり、
また、前記ネジ棒は、取っ手装置全体が金属製料理器具に設けられると、前記遠端面の外から前記板体の通孔、前記ハンドルの中空部、その両端部がそれぞれ前記管状シールド及び前記管状ハンドルに内嵌した前記断熱素子と共に前記近端開口を貫通してから、その先端を前記設置座のネジ穴に捻じ込み、且つ、そのヘッドが前記遠端面に突っ張ることができるように構成されていることを特徴とする請求項３に記載の料理器具用取っ手装置。
【請求項５】
前記板体における通孔は、前記ネジ棒の断面より大径であり、
前記ネジ棒のヘッドと前記遠端面との間に介在する断熱ワッシャーを更に備えており、
取っ手装置全体が金属製料理器具に設けられるとき、前記ネジ棒の先端が金属製料理器具と接触することなく、ヘッドが前記断熱ワッシャーを介して前記遠端面に突っ張り、棒本体が前記板体と接触していない状態で前記板体における通孔を貫通することができる構成関係を有することを特徴とする請求項４に記載の料理器具用取っ手装置。
【考案の詳細な説明】
【技術分野】
【０００１】
本考案は、料理器具用取っ手装置に関し、特に、金属製料理器具に設けられる取っ手装置に関する。
【背景技術】
【０００２】
取っ手装置が付いている料理器具には、片手鍋や、フライパン、フライ返し、お玉などがある。これらの料理器具は、熱を有効に伝導させるため、金属製のものが多い。
【０００３】
金属製料理器具に取り付けられる従来の取っ手装置は、通常、金属製料理器具から延伸して延伸端部が握り部となっているハンドルを主としており、前記金属製料理器具からの熱によるやけどを防止するため、通常、少なくともその握り部が熱伝導性の低い材料、例えば、熱硬化性樹脂などの樹脂材、又は木材により作られている。
【考案の概要】
【考案が解決しようとする課題】
【０００４】
しかしながら、このような取っ手装置は、そのハンドル全体が金属製料理器具と同じ金属製ではないので、金属製料理器具に取り付けられると、材質や色調の一体感がなく、高級感が損なわれるという問題点がある。
【０００５】
上記問題点に鑑みて、本考案は、金属製料理器具に設けられる取っ手装置であって、握り部を含むハンドル全体は金属製であって、且つ、金属製料理器具からの熱を伝えない取っ手装置の提供を目的とする。
【課題を解決するための手段】
【０００６】
上記目的を達成するため、本考案は、金属製料理器具に設けられる取っ手装置であって、金属製料理器具に設けられる金属製の設置座と、前記設置座に連結される金属製のハンドルと、前記設置座と前記金属製のハンドルとの間に配置されて前記設置座から前記ハンドルへの熱伝導を遮断する断熱素子と、を備えている料理器具用取っ手装置を提供する。
【０００７】
本考案の実施形態としては、取っ手装置全体が金属製料理器具に設けられると、前記設置座と、前記断熱素子と、前記ハンドルとが、前記金属製料理器具側から順に並んで設置され、前記ハンドルは、前記金属製料理器具に対し近端面と遠端面とを有するようになり、前記設置座は、前記金属製料理器具から突出した突出端面を有するようになり、前記近端面は、前記設置座の突出端面より大径であり、該近端面からネジ棒が突出する、という構成関係を有し、また、前記突出端面には、前記近端面から突出するネジ棒を捻じ込むことができるネジ穴が形成されているものが挙げられる。
【０００８】
なお、本考案の更なる実施形態としては、その中孔が前記設置座より大径である上、取っ手装置全体が金属製料理器具に設けられた後の前記設置座を周りから遮蔽するように設けられる金属製の管状シールドを更に備えており、また、取っ手装置全体が金属製料理器具に設けられると、前記管状シールドは、その突出端縁が前記ハンドルの近端面周縁に対応するように臨み、前記断熱素子は、前記管状シールドの突出端縁と前記ハンドルの近端面周縁との間に介入してその間の熱伝導を遮蔽するようになる、という構成関係を有するものも挙げられる。
【考案の効果】
【０００９】
上記構成による本考案の料理器具用取っ手装置は、その握り部を含むハンドル全体が金属製なので、金属製料理器具に取り付けられると、金属製料理器具との一体感及び高級感のある外観となる。また、そのハンドル自体も、握り部との境目が見えないように形成されるので、一体感及び高級感が更に増す。
【００１０】
本考案の料理器具用取っ手装置は、その金属製ハンドルと金属製料理器具との間に断熱素子が介在するので、金属製料理器具から金属製ハンドルへの熱伝導が遮断され、金属製料理器具からの熱によるやけどを防止することができる。
【図面の簡単な説明】
【００１１】
【図１】本考案の料理器具用取っ手装置の、金属製のフライパンに適用する実施例の分解斜視図である。
【図２】図１の実施例の組立て後の縦断面図である。
【考案を実施するための形態】
【００１２】
以下、金属製のフライパン１に適用する取っ手装置を例として、本考案の料理器具用取っ手装置を説明する。
【実施例】
【００１３】
図１に示すように、本実施例の取っ手装置は、主として、料理器具としての金属製フライパン１に設けられる取っ手装置であって、フライパン１の外周壁１１に設けられる金属製の設置座２と、設置座２に連結される金属製のハンドル５と、設置座２とハンドル５との間に配置されて設置座２からハンドル５への熱伝導を遮断する断熱素子４と、を備えている。
【００１４】
そして、図２に示すように、本実施例の料理器具用取っ手装置がフライパン１に設けられると、設置座２と、断熱素子４と、ハンドル５とが、フライパン１側から順に並んで設置され、ハンドル５は、フライパン１に対し近端面５１０と遠端面５２０とを有するようになっており、設置座２は、フライパン１から突出した突出端面２０を有し、近端面５１０は、該突出端面２０より大径であり、該近端面からネジ棒５４が突出する、という構成関係を有し、また、突出端面２０には、突出するネジ棒５４を捻じ込むことができるネジ穴２１が形成されている。
【００１５】
図１及び図２に示すように、本実施例の料理器具用取っ手装置は、更に、金属製の管状シールド３を更に備えている。この管状シールド３は、設置座２より大径な中孔３０を有するものである。
【００１６】
図２に示すように、本実施例の料理器具用取っ手装置がフライパン１に設けられると、管状シールド３は、設置座２を周りから遮蔽し、且つ、その突出端縁３２０が延伸して、ハンドル５の近端面（５１０）周縁に対応するように臨み、断熱素子４は、管状シールド３の突出端縁３２０とハンドル５の近端面（５１０）周縁との間に介入してその間の熱伝導を遮蔽するようになる、という構成関係を有する。
【００１７】
図示のように、本実施例の料理器具用取っ手装置におけるハンドル５は、その、フライパン１に対する近端が開口しており、遠端の開口に、ネジ棒５４の棒本体（５４３）断面より大径である通孔５２１が形成された板体５２を有している管状中空体であり、近端面５１０は近端開口５１１の環状開口縁であり、遠端面５２０は板体５２の外面である。断熱素子４は、その一端部４２が管状シールド３に内嵌することができ、他端部４３が管状ハンドル５に内嵌することができ、また、一端部４２と他端部４３との間に、断熱素子４の円周面４０から突出していて管状シールド３の突出端縁３２０とハンドル５の近端面（５１０）周縁との間に介在することができるフランジ４１を有する両頭プラグである。
【００１８】
また、ネジ棒５４には、断熱材からなった断熱ワッシャー６が付設されており、取っ手装置全体がフライパン１に設けられると、遠端面５２０の外から板体５２の通孔５２１、ハンドル５の中空部５０、その両端部４２，４３がそれぞれ管状シールド３及び管状ハンドル５に内嵌した断熱素子４と共に近端開口５１１を貫通してから、その先端５４１を捻じ込むことによって設置座２のネジ穴２１を通過し、フライパン１と接触する直前で止まると同時に、そのヘッド５４２が、断熱ワッシャー６を介して遠端面５２０に突っ張ることができるように構成されている。
【００１９】
図面について更に詳しく説明すると、本実施例の料理器具用取っ手装置は、取っ手装置全体がフライパン１に設けられるとき、ネジ棒５４の先端５４１がフライパン１と接触することなく、ヘッド５４２が断熱ワッシャー６を介して遠端面５２０を突っ張り、棒本体５４３が板体５２とまったく接触しない状態で板体５２における通孔５２１を貫通することができる構成関係を有する。
【００２０】
なお、図示のように、本実施例におけるハンドル５の中間近くが従来の取っ手装置のハンドルと同様な握り部となるが、この握り部となる部分は、他の部分と、材質も色調も同一である上、輪郭も連続になるので、みた目上は、ハンドル５と一体となっている。
【００２１】
そして、本実施例におけるハンドル５の遠端面（５２０）周縁から長手方向への延長片５３が形成されている。この延長片５３には、穴５３１が開けてあるので、壁などに設置されているフックに該穴５３１を引っ掛けて、本実施例の料理器具用取っ手装置が付設されているフライパン１をぶら提げることができる。
【００２２】
本実施例における管状シールド３は、その両側のフライパン１及びハンドル５との一体感を保つため、金属製となっているが、外観における占有比例が極めて小さいので、断熱材製であっても良く、また、設置座２の一部として設置座２と一体成型されても良く、断熱素子４の一部として断熱素子４と一体成型されても良く、もしくは、本実施例の料理器具用取っ手装置に設置しない形態であっても良い。
【００２３】
そしてまた、本実施例における断熱素子４は、ベークライト（Ｂａｋｅｌｉｔｅ、商標名）材で構成されているが、熱伝導性が低い上、耐熱性も良い他の材料、例えば他の種類の熱硬化性樹脂、または木材を採用しても良い。
【産業上の利用可能性】
【００２４】
叙上のように、本考案の料理器具用取っ手装置は、その握り部を含むハンドル全体が金属製なので、金属製料理器具に取り付けられると、金属製料理器具との一体感及び高級感のある外観となる。
【００２５】
本考案の料理器具用取っ手装置は、また、そのハンドル自体も、握り部との境目が見えないように形成されるので、一体感及び高級感が更に増す。
【００２６】
本考案の料理器具用取っ手装置は、更に、金属製料理器具に取り付けられると、その金属製ハンドルと金属製料理器具との間に断熱素子が介在するので、金属製料理器具から金属製ハンドルへの熱伝導が遮断され、金属製料理器具からの熱によるやけどを防止することができる。
【００２７】
従って、本考案は、従来の料理器具用取っ手装置の産業上の利用可能性を向上させることができる。
【符号の説明】
【００２８】
１フライパン
１１外周壁
２設置座
２０突出端面
２１ネジ穴
３管状シールド
３０中孔
３２０突出端縁
４断熱素子
４１フランジ
４２一端部
４３他端部
５ハンドル
５０中空部
５１０近端面
５１１近端開口
５２板体
５２０遠端面
５２１通孔
５３延長片
５３１穴
５４ネジ棒
５４１先端
５４２ヘッド
５４３棒本体
６断熱ワッシャー
【図１】
0003158280.tif 000003
【図２】
0003158280.tif 000004